【手続補正書】
【提出日】平成26年2月3日(2014.2.3)
【手続補正１】
【補正対象書類名】特許請求の範囲
【補正対象項目名】全文
【補正方法】変更
【補正の内容】
【特許請求の範囲】
【請求項１】
複数の液晶素子を有する液晶パネルと、
前記液晶パネルの背面側に設けられた光源と、
入力された画像信号に基づいて前記複数の液晶素子を制御することにより、前記光源からの光の透過率を目標値に遷移させる素子制御手段と、
前記画像信号に対応する透過率である最終目標値が現在の透過率よりも高い液晶素子に対して、その液晶素子の透過率が所定時間で前記最終目標値に到達するか否かを判断する判断手段と、
前記光源の光量を制御する光源制御手段と、
を有し、
前記判断手段で透過率が前記所定時間で前記最終目標値に到達しないと判断された液晶素子が存在する場合に、前記素子制御手段は、前記所定時間で到達可能な透過率の値を前記目標値に設定し、前記光源制御手段は、前記最終目標値と前記目標値との差に基づいて、前記光源の光量を制御する
ことを特徴とする画像表示装置。
【請求項２】
前記判断手段で透過率が前記所定時間で前記最終目標値に到達しないと判断された液晶素子が存在する場合に、前記素子制御手段は、前記液晶素子間で共通の低下率で前記最終目標値を低下させた値を前記目標値に設定し、前記光源制御手段は、前記光源の光量を基準光量に前記低下率の逆数を乗算した光量に増す制御を行う
ことを特徴とする請求項１に記載の画像表示装置。
【請求項３】
前記低下率は、前記判断手段で透過率が前記所定時間で前記最終目標値に到達しないと判断された液晶素子の、該最終目標値に対する前記所定時間で到達する透過率の割合である
ことを特徴とする請求項２に記載の画像表示装置。
【請求項４】
前記低下率は、前記判断手段で透過率が前記所定時間で前記最終目標値に到達しないと判断された複数の液晶素子の前記割合の最小値である
ことを特徴とする請求項３に記載の画像表示装置。
【請求項５】
前記判断手段で透過率が前記所定時間で前記最終目標値に到達しないと判断された液晶素子が存在しない場合に、前記素子制御手段は、前記最終目標値を前記目標値に設定し、前記光源制御手段は、前記光源の光量を基準光量に制御する
ことを特徴とする請求項１〜４のいずれか１項に記載の画像表示装置。
【請求項６】
前記液晶パネルは複数の領域に区分されており、
前記光源は、前記複数の領域に対応する複数の光源であり、
前記判断手段で透過率が前記所定時間で前記最終目標値に到達しないと判断された液晶素子が存在する場合に、前記素子制御手段は、該液晶素子が存在する領域内の液晶素子の目標値として、前記所定時間で到達可能な透過率の値を設定し、前記光源制御手段は、前記判断手段で透過率が前記所定時間で前記最終目標値に到達しないと判断された液晶素子が存在する領域に対応する光源の光量を、前記最終目標値と前記目標値との差に基づいて制御する
ことを特徴とする請求項１〜５のいずれか１項に記載の画像表示装置。
【請求項７】
前記画像信号は、色成分毎の信号であり、
前記液晶パネルは、複数の色成分に対応する複数の液晶素子を有しており、
前記光源は、前記複数の色成分に対応する複数の光源であり、
前記判断手段で透過率が前記所定時間で前記最終目標値に到達しないと判断された液晶素子が存在する場合に、前記素子制御手段は、該液晶素子の色成分に対応する液晶素子の目標値として、前記所定時間で到達可能な透過率の値を設定し、前記光源制御手段は、前記判断手段で透過率が前記所定時間で前記最終目標値に到達しないと判断された液晶素子の色成分に対応する光源の光量を、前記最終目標値と前記目標値との差に基づいて制御する
ことを特徴とする請求項１〜６のいずれか１項に記載の画像表示装置。
【請求項８】
複数の液晶素子を有する液晶パネルと、前記液晶パネルの背面側に設けられた光源と、を有する画像表示装置の制御方法であって、
入力された画像信号に基づいて前記複数の液晶素子を制御することにより、前記光源からの光の透過率を目標値に遷移させる素子制御ステップと、
前記画像信号に対応する透過率である最終目標値が現在の透過率よりも高い液晶素子に対して、その液晶素子の透過率が所定時間で前記最終目標値に到達するか否かを判断する判断ステップと、
前記光源の光量を制御する光源制御ステップと、
を有し、
前記判断ステップで透過率が前記所定時間で前記最終目標値に到達しないと判断された液晶素子が存在する場合に、前記素子制御ステップでは、前記所定時間で到達可能な透過率の値を前記目標値に設定し、前記光源制御ステップでは、前記最終目標値と前記目標値との差に基づいて、前記光源の光量を制御する
ことを特徴とする画像表示装置の制御方法。
【請求項９】
前記判断ステップで透過率が前記所定時間で前記最終目標値に到達しないと判断された液晶素子が存在する場合に、前記素子制御ステップでは、前記液晶素子間で共通の低下率で前記最終目標値を低下させた値を前記目標値に設定し、前記光源制御ステップでは、前記光源の光量を基準光量に前記低下率の逆数を乗算した光量に増す制御を行う
ことを特徴とする請求項８に記載の画像表示装置の制御方法。
【請求項１０】
前記低下率は、前記判断ステップで透過率が前記所定時間で前記最終目標値に到達しないと判断された液晶素子の、該最終目標値に対する前記所定時間で到達する透過率の割合である
ことを特徴とする請求項９に記載の画像表示装置の制御方法。
【請求項１１】
前記低下率は、前記判断ステップで透過率が前記所定時間で前記最終目標値に到達しないと判断された複数の液晶素子の前記割合の最小値である
ことを特徴とする請求項１０に記載の画像表示装置の制御方法。
【請求項１２】
前記判断ステップで透過率が前記所定時間で前記最終目標値に到達しないと判断された液晶素子が存在しない場合に、前記素子制御ステップでは、前記最終目標値を前記目標値に設定し、前記光源制御ステップでは、前記光源の光量を基準光量に制御する
ことを特徴とする請求項８〜１１のいずれか１項に記載の画像表示装置の制御方法。
【請求項１３】
前記液晶パネルは複数の領域に区分されており、
前記光源は、前記複数の領域に対応する複数の光源であり、
前記判断ステップで透過率が前記所定時間で前記最終目標値に到達しないと判断された液晶素子が存在する場合に、前記素子制御ステップでは、該液晶素子が存在する領域内の液晶素子の目標値として、前記所定時間で到達可能な透過率の値を設定し、前記光源制御ステップでは、前記判断ステップで透過率が前記所定時間で前記最終目標値に到達しないと判断された液晶素子が存在する領域に対応する光源の光量を、前記最終目標値と前記目標値との差に基づいて制御する
ことを特徴とする請求項８〜１２のいずれか１項に記載の画像表示装置の制御方法。
【請求項１４】
前記画像信号は、色成分毎の信号であり、
前記液晶パネルは、複数の色成分に対応する複数の液晶素子を有しており、
前記光源は、前記複数の色成分に対応する複数の光源であり、
前記判断ステップで透過率が前記所定時間で前記最終目標値に到達しないと判断された液晶素子が存在する場合に、前記素子制御ステップでは、該液晶素子の色成分に対応する液晶素子の目標値として、前記所定時間で到達可能な透過率の値を設定し、前記光源制御ステップでは、前記判断ステップで透過率が前記所定時間で前記最終目標値に到達しないと判断された液晶素子の色成分に対応する光源の光量を、前記最終目標値と前記目標値との差に基づいて制御する
ことを特徴とする請求項８〜１３のいずれか１項に記載の画像表示装置の制御方法。
【手続補正２】
【補正対象書類名】明細書
【補正対象項目名】０００８
【補正方法】変更
【補正の内容】
【０００８】
本発明の画像表示装置は、複数の液晶素子を有する液晶パネルと、前記液晶パネルの背面側に設けられた光源と、入力された画像信号に基づいて前記複数の液晶素子を制御することにより、前記光源からの光の透過率を目標値に遷移させる素子制御手段と、前記画像信号に対応する透過率である最終目標値が現在の透過率よりも高い液晶素子に対して、その液晶素子の透過率が所定時間で前記最終目標値に到達するか否かを判断する判断手段と、前記光源の光量を制御する光源制御手段と、を有し、前記判断手段で透過率が前記所定時間で前記最終目標値に到達しないと判断された液晶素子が存在する場合に、前記素子制御手段は、前記所定時間で到達可能な透過率の値を前記目標値に設定し、前記光源制御手段は、前記最終目標値と前記目標値との差に基づいて、前記光源の光量を制御することを特徴とする。
【手続補正３】
【補正対象書類名】明細書
【補正対象項目名】０００９
【補正方法】変更
【補正の内容】
【０００９】
本発明の画像表示装置の制御方法は、複数の液晶素子を有する液晶パネルと、前記液晶パネルの背面側に設けられた光源と、を有する画像表示装置の制御方法であって、入力された画像信号に基づいて前記複数の液晶素子を制御することにより、前記光源からの光の透過率を目標値に遷移させる素子制御ステップと、前記画像信号に対応する透過率である最終目標値が現在の透過率よりも高い液晶素子に対して、その液晶素子の透過率が所定時間で前記最終目標値に到達するか否かを判断する判断ステップと、前記光源の光量を制御する光源制御ステップと、を有し、前記判断ステップで透過率が前記所定時間で前記最終目標値に到達しないと判断された液晶素子が存在する場合に、前記素子制御ステップでは、前記所定時間で到達可能な透過率の値を前記目標値に設定し、前記光源制御ステップでは、前記最終目標値と前記目標値との差に基づいて、前記光源の光量を制御することを特徴とする。